(57)【要約】【課題】  少ない操作回数で所望の設定を行うことができる操作性に優れたナビゲーション装置を提供する。【解決手段】  情報を取得する情報取得手段１５と、情報取得手段１５で取得された情報の出力条件を設定する条件設定手段１２と、条件設定手段１２で設定された条件に従って情報取得手段１５で取得された情報の優先順位を判定する優先度判定手段２１と、優先度判定手段２１で判定された優先順位の高い情報のメニュー項目から順に表示する表示手段２２とを備えている。【選択図】        図１
2005227091.tif 000002
【特許請求の範囲】
【請求項１】
情報を取得する情報取得手段と、
前記情報取得手段で取得された情報の出力条件を設定する条件設定手段と、
前記条件設定手段で設定された条件に従って前記情報取得手段で取得された情報の優先順位を判定する優先度判定手段と、
前記優先度判定手段で判定された優先順位の高い情報のメニュー項目から順に表示する表示手段
とを備えたナビゲーション装置。
【請求項２】
自己の現在位置を検出する位置検出手段を備え、
条件設定手段は、前記位置検出手段で検出された現在位置を出力条件として設定し、
優先度判定手段は、前記条件設定手段で設定された現在位置に従って情報取得手段で取得された情報の優先順位を判定することを特徴とする請求項１記載のナビゲーション装置。
【請求項３】
年齢を検出する年齢検出手段を備え、
条件設定手段は、前記年齢検出手段で検出された年齢を出力条件として設定し、
優先度判定手段は、前記条件設定手段で設定された年齢に従って情報取得手段で取得された情報の優先順位を判定することを特徴とする請求項１または請求項２記載のナビゲーション装置。
【請求項４】
情報の利用頻度を検出する利用頻度検出手段を備え、
条件設定手段は、前記利用頻度検出手段で検出された利用頻度を出力条件として設定し、
優先度判定手段は、前記条件設定手段で設定された利用頻度に従って情報取得手段で取得された情報の優先順位を判定することを特徴とする請求項１から請求項３のうちのいずれか１項記載のナビゲーション装置。
【発明の詳細な説明】
【技術分野】
【０００１】
この発明はナビゲーション装置に関し、特にその操作性を向上させる技術に関する。
【背景技術】
【０００２】
従来、車両に搭載されてユーザに種々の案内を行うナビゲーション装置が知られている。このナビゲーション装置は、多数の便利な機能を有しており、ユーザは所望の機能を使用する場合は、その機能を発揮させるための設定を行う必要がある。
【０００３】
このようなナビゲーション装置における設定は、一般に、表示器に表示されるメニュー画面を操作することにより行われる。ところが、ナビゲーション装置が備えている表示器の画面のサイズは小さいので、１画面で表示できる情報量に限界がある。そこで、従来のナビゲーション装置では、複数のメニュー項目の一部をリスト形式でメニュー画面に表示し、残りは画面をスクロールしたり或いはメニュー画面を切り替えて表示するように構成されている。ユーザは、所望のメニュー項目が表示されるまで画面操作を行い、所望のメニュー項目が表示された状態で、その機能を使用するための設定を行う。
【０００４】
なお、関連する技術として、過度に情報が提供されることなく、且つ的確に必要な情報を提供できるナビゲーション装置が知られている（例えば、特許文献１参照）。このナビゲーション装置は、入力された情報に、その情報の種類に応じて、優先順位とランクとを割り当て、情報の提供に際して、所定のランク値を有する１つ以上の情報の中から、優先順位の高い順に情報を提供する。
【０００５】
【特許文献１】特開平１０−１０４００４号公報
【発明の開示】
【発明が解決しようとする課題】
【０００６】
しかしながら、上述した従来のナビゲーション装置では、メニュー項目が表示される順序が固定されているので、ユーザが目的のメニュー項目に辿り着くまでに多くの操作が必要になる。今、施設の１つであるガソリンスタンドを検索する場合を考えると、Ａ国で主に使用されているＸ社のガソリンスタンドはトップのメニュー画面のリストの上位に表示されるが、Ｂ国で主に使用されているＹ社のガソリンスタンドはリストの下位または次のメニュー画面に表示されるように構成されている場合がある。
【０００７】
このようなナビゲーション装置を搭載した車両で例えば欧州のような陸続きの複数の国を跨ってドライブするような場合、Ａ国においてＸ社のガソリンスタンドを検索する場合はトップのメニュー画面を操作するだけで簡単に行うことができるが、Ｂ国においてＹ社のガソリンスタンドを検索する場合は、メニュー画面をスクロールしたり次のメニュー画面に切り替える等の操作が必要である。日本において複数の都道府県を跨ってドライブするような場合も同様である。そこで、特に自動車の運転中という状況下では画面を長時間注視して操作を行うのは難しいので、操作性の改善が望まれている。
【０００８】
このような要望に応えるために、例えば機能の数だけボタンを備えてワンタッチで目的の画面を表示させることが考えられるが、ユーザは多数のボタンの中から所望のボタンを選択しなければならず、操作は煩雑になる。車載用のナビゲーション装置では、安全性の観点からも、操作の煩雑さを排除することが望まれている。
【０００９】
この発明は、上述した要請に応えるためになされたものであり、少ない操作回数で所望の設定を行うことができる操作性に優れたナビゲーション装置を提供することを目的とする。
【課題を解決するための手段】
【００１０】
この発明に係るナビゲーション装置は、情報を取得する情報取得手段と、前記情報取得手段で取得された情報の出力条件を設定する条件設定手段と、前記条件設定手段で設定された条件に従って前記情報取得手段で取得された情報の優先順位を判定する優先度判定手段と、前記優先度判定手段で判定された優先順位の高い情報のメニュー項目から順に表示する表示手段とを備えたものである。
【発明の効果】
【００１１】
この発明によれば、情報取得手段で取得した情報を出力する際に、条件設定手段で設定された出力条件に従って優先順位を判定し、優先順位の高い情報のメニュー項目から順番に表示するように構成したので、トップのメニュー画面に目的とする情報のメニュー項目が表示される確率が高くなり、少ない操作回数で所望の設定を行うことができるので操作性が向上するという効果がある。
【発明を実施するための最良の形態】
【００１２】
以下、この発明の実施の形態を図面を参照しながら詳細に説明する。
実施の形態１．
この発明の実施の形態１に係るナビゲーション装置は、現在位置に応じてメニュー項目の表示順序を変更するようにしたものである。
【００１３】
図１は、この発明の実施の形態１に係るナビゲーション装置の構成を示すブロック図である。このナビゲーション装置は、操作部１０、条件定義テーブル１１、条件設定手段１２、情報格納テーブル１３、情報更新手段１４、情報取得手段１５、位置センサ１６、位置検出手段１７、イグニッションキーセンサ１８、年齢検出手段１９、利用頻度検出手段２０、優先度判定手段２１および表示手段２２から構成されている。
【００１４】
操作部１０は、例えば操作釦やタッチパネルなどから構成されており、ユーザが当該ナビゲーション装置に種々の指示を与えるために使用される。具体的には、操作部１０は、ユーザの操作に応じた指令を生成し、条件設定手段１２、情報取得手段１５および年齢検出手段１９に送る。
【００１５】
条件定義テーブル１１は、図２に示すように、情報を表示手段２２に出力する際の出力条件を記憶している。条件１は、「利用場所（国、地域など）」を出力条件として適用することを表す。この場合、位置検出手段１７で検出された現在位置情報に基づいて利用場所が判断される。条件２は、「利用者年齢層」を出力条件として適用することを表す。この場合、年齢検出手段１９で検出された年齢に基づいて利用者年齢層が判断される。条件３は、「過去の情報利用頻度」を出力条件として適用することを表す。この場合、利用頻度検出手段２０で検出された利用頻度に基づいて過去の情報利用頻度が判断される。この条件定義テーブル１１は条件設定手段１２により参照される。
【００１６】
条件設定手段１２は、操作部１０からの指令に応答して条件１〜条件３のうちのいずれか１つを条件定義テーブル１１から読み出し、出力条件情報として自己の内部に設定する。この条件設定手段１２の内部に設定された出力条件情報は優先度判定手段２１に送られる。
【００１７】
情報格納テーブル１３は、ユーザに提供する種々の情報を記憶している。例えば、情報格納テーブル１３は、図３に示すような、（１）施設情報、（２）交通情報、（３）気象情報、（４）時事情報、（５）イベント情報、（６）商品情報、（７）地域情報、（８）スポーツ情報などを記憶している。この情報格納テーブル１３の内容は、情報取得手段１５によって読み出される。また、情報格納テーブル１３には、情報更新手段１４が接続されている。
【００１８】
図４は、情報格納テーブル１３の詳細な構成を示す。項目欄には、ＡＡＡ、ＢＢＢ、・・・といった、カテゴリやサブカテゴリに属するコンテンツが格納されている。例えば、カテゴリが施設情報であれば、ガソリンスタンド、銀行、遊園地などのコンテンツが、サブカテゴリがガソリンスタンドならば、α社、β社といった石油会社のコンテンツが格納されている。
【００１９】
国、地域欄には国または地域毎のコンテンツの優先順位が格納されている。例えば、Ａ国では、コンテンツＡＡＡには１位、コンテンツＢＢＢには２位、・・・という優先順位が付与されている。年齢層欄には年齢層毎のコンテンツの優先順位が格納されている。例えば、３０歳以下の年齢層では、コンテンツＡＡＡには２位、コンテンツＢＢＢには３位、・・・という優先順位が付与されている。利用回数欄には、コンテンツの利用回数が格納されている。例えば、コンテンツＡＡＡは２回、コンテンツＢＢＢは０回・・・利用されたことが記憶されている。この利用回数は、情報取得手段１５によって情報格納テーブル１３から情報が取得される毎に、その取得された情報に対応する利用回数がインクリメントされる。
【００２０】
この情報格納テーブル１３には、情報更新手段１４が接続されている。情報更新手段１４は、例えば通信装置から構成されており、インターネットやＶＩＣＳ（Vehicle Information and Communication System）に接続できるようになっている。この情報更新手段は、情報格納テーブル１３の内容、例えば交通情報、気象情報、時事情報といった時々刻々と変換する情報をインターネットやＶＩＣＳからリアルタイムに取得して更新する。
【００２１】
情報取得手段１５は、操作部１０からの指令に応答して、情報格納テーブル１３から指令に応じた情報を取得する。この情報取得手段１５によって取得された情報は優先度判定手段２１に送られる。
【００２２】
位置センサ１６は、例えばＧＰＳ（Global Positioning System）受信機、距離センサ、方位センサなどから構成されている。ＧＰＳ受信機からのＧＰＳ信号、距離センサからの距離信号および方位センサからの方位信号は位置検出手段１７に送られる。
【００２３】
位置検出手段１７は、位置センサ１６からのＧＰＳ信号、距離信号および方位信号に基づいて当該ナビゲーション装置の現在位置を検出する。この位置検出手段１７で検出された現在位置を表す現在位置情報は優先度判定手段２１に送られる。
【００２４】
イグニッションキーセンサ１８は、イグニッションキーに差し込まれたキーの種類を検出する。このイグニッションキーセンサ１８で検出されたキーの種類を表す信号は年齢検出手段１９に送られる。
【００２５】
年齢検出手段１９は、当該ナビゲーション装置を使用するユーザの年齢を検出する。具体的には、操作部１０から設定された年齢またはイグニッションキーセンサ１８から送られてくるキーの種類に対して予め割り当てられている年齢を検出し、内部に記憶する。この年齢検出手段１９に記憶された年齢を表す年齢情報は、優先度判定手段２１によって参照される。
【００２６】
利用頻度検出手段２０は、過去の情報利用頻度を検出する。この検出は、情報格納テーブル１３の利用回数欄を参照することにより行われる。この利用頻度検出手段２０で検出された利用回数を表す利用回数情報は優先度判定手段２１に送られる。
【００２７】
優先度判定手段２１は、条件設定手段１２からの信号条件情報、および、位置検出手段１７からの現在位置情報、年齢検出手段１９からの年齢情報または利用頻度検出手段２０からの年齢情報に基づいて情報取得手段１５で取得された情報の優先度を判定し、優先度の高いものから順番に表示手段２２に送る。
【００２８】
表示手段２２は、例えば液晶表示装置から構成されており、優先度判定手段２１から送られてくる情報のうち優先順位が高いものから順番にリスト形式で画面に表示する。
【００２９】
次に、上記のように構成される、この発明の実施の形態１に係るナビゲーション装置の動作を、図５に示すフローチャートを参照しながら説明する。
【００３０】
ナビゲーション装置では、まず、出力条件として「利用場所」を設定する条件設定操作が行われる（ステップＳＴ１０）。具体的には、ユーザは、操作部１０を操作して条件１の「利用場所」を選択する。これにより、操作部１０は、条件１を設定すべき旨の指令を条件設定手段１２に送る。条件設定手段１２は、この指令に応答して条件定義テーブル１１から条件１を表すデータを読み出し、出力条件情報として自己の内部に設定する。この設定された出力条件情報は優先度判定手段２１により参照される。
【００３１】
次いで、情報取得操作が行われる（ステップＳＴ１１）。即ち、操作部１０を用いて施設情報、交通情報、気象情報、時事情報、イベント情報、商品情報、地域情報およびスポーツ情報のいずれか１つを取得するための操作が行われる。これにより、操作部１０の操作に応じた指令が情報取得手段１５に送られる。
【００３２】
次いで、施設検索が指示されたかどうかが調べられる（ステップＳＴ１２）。即ち、情報取得手段１５は、操作部１０から送られてきた指令が施設を検索すべき旨の指令であるかどうかを調べる。ここで、施設検索（例えばガソリンスタンド施設の検索）が指示された旨が判断されると、施設情報が取得される（ステップＳＴ１３）。即ち、情報取得手段１５は、情報格納テーブル１３を検索し、ガソリンスタンド施設のデータを抽出して優先度判定手段２１に送る。
【００３３】
次いで、現在位置情報が取得される（ステップＳＴ１４）。具体的には、位置検出手段１７は、位置センサ１６からのＧＰＳ信号、距離信号および方位信号に基づいて当該ナビゲーション装置の現在位置を検出し、検出結果を現在位置情報として優先度判定手段２１に送る。
【００３４】
次いで、優先順位の判定が行われる（ステップＳＴ１５）。即ち、優先度判定手段２１は、情報取得手段１５から送られてきた情報の優先度を、位置検出手段１７から送られてきた現在位置情報に基づいて判定する。例えば、位置検出手段１７から送られてきた現在位置情報によりＡ国に居ることを認識すると、図４の国、地域欄のうちのＡ国の欄に示すように、優先順位は、コンテンツＡＡＡが１位、コンテンツＢＢＢが２位、コンテンツＣＣＣが３位、コンテンツＤＤＤが４位、コンテンツＥＥＥが５位、・・・であると判定する。また、Ｄ国に居ることを認識すると、図４国、地域欄のうちのＤ国の欄に示すように、優先順位は、コンテンツＢＢＢが１位、コンテンツＥＥＥが２位、コンテンツＤＤＤが３位、・・・であると判定する。そして、優先度判定手段２１は、優先順位の高いコンテンツのメニュー項目から順番に表示手段２２に送る。
【００３５】
次いで、表示が行われる（ステップＳＴ１６）。即ち、表示手段２２は、優先度判定手段２１から順次送られてきたメニュー項目を、リストの上位から順番に表示する。これにより、例えばＡ国に居る場合は、各コンテンツのメニュー項目が、図６に示すように、上位からコンテンツＡＡＡのメニュー項目ＡＡＡＡＡＡ、コンテンツＢＢＢのメニュー項目ＢＢＢＢＢＢ、コンテンツＣＣＣのメニュー項目ＣＣＣＣＣＣ、コンテンツＤＤＤのメニュー項目ＤＤＤＤＤＤ、コンテンツＥＥＥのメニュー項目ＥＥＥＥＥＥといった順番で表示される。これにより、Ａ国で主要なガソリンスタンドが優先して表示される。
【００３６】
同様に、Ｄ国に居る場合は、各コンテンツのメニュー項目が、図７に示すように、上位からコンテンツＢＢＢのメニュー項目ＢＢＢＢＢＢ、コンテンツＥＥＥのメニュー項目ＥＥＥＥＥＥ、コンテンツＤＤＤのメニュー項目ＤＤＤＤＤＤ、コンテンツＨＨＨのメニュー項目ＨＨＨＨＨＨといった順番で表示される。これにより、Ｄ国で主要なガソリンスタンドが優先して表示される。
【００３７】
上記ステップＳＴ１２で、施設検索が指示されていない旨が判断されると、次いで、地域情報検索が指示されたかどうかが調べられる（ステップＳＴ１７）。即ち、情報取得手段１５は、操作部１０から送られてきた指令が地域情報を検索すべき旨の指令であるかどうかを調べる。ここで、地域情報検索が指示された旨が判断されると、地域情報が取得される（ステップＳＴ１８）。即ち、情報取得手段１５は、情報格納テーブル１３から地域情報を検索し、そのデータを抽出して優先度判定手段２１に送る。その後、シーケンスはステップＳＴ１４に分岐し、上述した処理が実行される。以上の処理により、現在位置に近い国または地域のニュースを選択するためのメニュー項目が優先して表示さる。
【００３８】
ステップＳＴ１７で、地域情報検索が指示されていないことが判断されると、その他の処理が実行され（ステップＳＴ１９）、その後、シーケンスはステップＳＴ１４に分岐する。このステップＳＴ１９では、詳細な説明は省略するが、交通情報、気象情報、時事情報、イベント情報、商品情報、スポーツ情報に対して、上述したステップＳＴ１７およびＳＴ１８と同様の処理が実行される。
【００３９】
以上説明したように、この発明の実施の形態１に係るナビゲーション装置によれば、国または地域に応じたメニュー項目が上位になるように順序が自動的に変更されて表示されるので、カーナビゲーション装置のような限られたサイズの画面しか有しない表示手段であっても、メニュー項目に対する操作性を向上させることができる。
【００４０】
実施の形態２．
この発明の実施の形態２に係るナビゲーション装置は、年齢に応じてメニュー項目の表示順序を変更するようにしたものである。
【００４１】
この実施の形態２に係るナビゲーション装置の構成は、図１に示した実施の形態１に係るナビゲーション装置と同じである。
【００４２】
次に、実施の形態２に係るナビゲーション装置の動作を、図８に示すフローチャートを参照しながら説明する。
【００４３】
ナビゲーション装置では、まず、出力条件として「利用者年齢層」を設定する条件設定操作が行われる（ステップＳＴ２０）。具体的には、ユーザは、操作部１０を操作して条件２の「利用者年齢層」を選択する。これにより、操作部１０は、条件２を設定すべき旨の指令を条件設定手段１２に送る。条件設定手段１２は、この指令に応答して条件定義テーブル１１から条件２を表すデータを読み出し、出力条件情報として自己の内部に設定する。この設定された出力条件情報は優先度判定手段２１により参照される。
【００４４】
次いで、情報取得操作が行われる（ステップＳＴ２１）。即ち、操作部１０を用いて施設情報、交通情報、気象情報、時事情報、イベント情報、商品情報、地域情報およびスポーツ情報のいずれか１つを取得するための操作が行われる。これにより、操作部１０の操作に応じた指令が情報取得手段１５に送られる。
【００４５】
次いで、施設検索が指示されたかどうかが調べられる（ステップＳＴ２２）。即ち、情報取得手段１５は、操作部１０から送られてきた指令が施設を検索すべき旨の指令であるかどうかを調べる。ここで、施設検索が指示された旨が判断されると、施設情報が取得される（ステップＳＴ２３）。即ち、情報取得手段１５は、情報格納テーブル１３を検索し施設情報を抽出して優先度判定手段２１に送る。
【００４６】
次いで、年齢情報が取得される（ステップＳＴ２４）。具体的には、年齢検出手段１９は、その内部に記憶している年齢情報を優先度判定手段２１に送る。
【００４７】
次いで、優先順位の判定が行われる（ステップＳＴ２５）。即ち、優先度判定手段２１は、情報取得手段１５から送られてきた情報の優先度を、年齢検出手段１９から送られてきた年齢情報に基づいて判定する。例えば、年齢検出手段１９から送られてきた年齢情報が４０歳代から５０歳代までを示していると、図４の年齢層のうちの「４０〜５０」の欄に示すように、優先順位は、コンテンツＡＡＡが１位、コンテンツＢＢＢが２位、コンテンツＣＣＣが３位、コンテンツＤＤＤが４位、コンテンツＥＥＥが５位、・・・であると判定する。３０歳代以下および６０歳代以上についても同様である。そして、優先度判定手段２１は、優先順位の高いコンテンツのメニュー項目から順番に表示手段２２に送る。なお、この実施の形態２におけるコンテンツは例示であり、上述した実施の形態１に係るそれとは一致していない。
【００４８】
次いで、表示が行われる（ステップＳＴ２６）。即ち、表示手段２２は、優先度判定手段２１から順次送られてきたメニュー項目を、リストの上位から順番に表示する。これにより、例えば３０歳代以下の場合は、図９に示すように、上位から例えばレジャー、コンビニ、レストラン、観光といった若者向けのメニュー項目が優先して表示される。また、例えば６０歳代以上の場合は、図１０に示すように、上位から例えば病院、警察、役所、スーパーといった高齢者向けのメニュー項目が優先して表示される。なお、図９および図１０に示すメニュー項目は例示であり、図４に示す「年齢層」欄の優先順位とは必ずしも一致していない。
【００４９】
上記ステップＳＴ２２で、施設検索が指示されていない旨が判断されると、次いで、その他の処理が実行され（ステップＳＴ２７）、その後、シーケンスはステップＳＴ２４に分岐する。このステップＳＴ２７では、詳細な説明は省略するが、交通情報、気象情報、時事情報、イベント情報、商品情報、地域情報およびスポーツ情報に対して、指定の有無の判断および指定がなされた場合の情報取得処理が実行される。
【００５０】
以上説明したように、この発明の実施の形態２に係るナビゲーション装置によれば、ユーザの年齢に好適なメニュー項目が上位になるように順序が自動的に変更されて表示されるので、カーナビゲーション装置のような限られたサイズの画面しか有しない表示手段であっても、メニュー項目に対する操作性を向上させることができる。
【００５１】
実施の形態３．
この発明の実施の形態３に係るナビゲーション装置は、過去の情報利用頻度に応じてメニュー項目の表示順序を変更するようにしたものである。
【００５２】
この実施の形態３に係るナビゲーション装置の構成は、図１に示した実施の形態１に係るナビゲーション装置と同じである。
【００５３】
次に、実施の形態３に係るナビゲーション装置の動作を、図１１に示すフローチャートを参照しながら説明する。
【００５４】
ナビゲーション装置では、まず、出力条件として「過去の情報利用頻度」を設定する条件設定操作が行われる（ステップＳＴ３０）。具体的には、ユーザは、操作部１０を操作して条件３の「過去の情報利用頻度」を選択する。これにより、操作部１０は、条件３を設定すべき旨の指令を条件設定手段１２に送る。条件設定手段１２は、この指令に応答して条件定義テーブル１１から条件３を表すデータを読み出し、出力条件情報として自己の内部に設定する。この設定された出力条件情報は、優先度判定手段２１によって参照される。
【００５５】
次いで、情報取得が行われる（ステップＳＴ３１）。即ち、情報取得手段１５は、情報格納テーブル１３を検索し、全てのデータを抽出して優先度判定手段２１に送る。次いで、利用回数情報が取得される（ステップＳＴ３２）。具体的には、利用頻度検出手段２０は、情報格納テーブル１３から取得した利用回数情報を優先度判定手段２１に送る。
【００５６】
次いで、優先順位の判定が行われる（ステップＳＴ３３）。即ち、優先度判定手段２１は、情報取得手段１５から送られてきた情報の優先度を、利用頻度検出手段２０から送られてきた利用回数情報に基づいて判定する。例えば、利用頻度検出手段２０から送られてきた利用回数情報が図４の利用回数欄に示す値を示している場合は、優先順位は、コンテンツＤＤＤが１位、コンテンツＣＣＣが２位、コンテンツＥＥＥが３位、コンテンツＡＡＡが４位、コンテンツＢＢＢが５位、・・・であると判定する。そして、優先度判定手段２１は、優先順位の高いコンテンツのメニュー項目から順番に表示手段２２に送る。
【００５７】
次いで、表示が行われる（ステップＳＴ３４）。即ち、表示手段２２は、優先度判定手段２１から順次送られてきたメニュー項目を、リストの上位から順番に表示する。これにより、過去に利用した回数の多いメニュー項目が優先して表示される。
【００５８】
以上説明したように、この発明の実施の形態３に係るナビゲーション装置によれば、過去に利用した回数の多いメニュー項目が上位になるように順序が自動的に変更されて表示されるので、カーナビゲーション装置のような限られたサイズの画面しか有しない表示手段であっても、メニュー項目に対する操作性を向上させることができる。
【００５９】
なお、実施の形態３に係るナビゲーション装置では、施設情報、交通情報、気象情報、時事情報、イベント情報、商品情報、地域情報およびスポーツ情報といった８つのジャンルに対して優先順位を付与し、優先順位の高いものから順番に表示するように構成したが、各ジャンル内の複数の項目に対しても優先順位を付与し、各ジャンル内の複数の項目を表示する場合に、優先順位の高い項目から順番に表示するように構成するこができる。
【００６０】
また、上述した実施の形態１に係るナビゲーション装置は、現在位置に応じてメニュー項目の表示順序を変更し、実施の形態２に係るナビゲーション装置は、年齢に応じてメニュー項目の表示順序を変更し、実施の形態３に係るナビゲーション装置は、過去の情報利用頻度に応じてメニュー項目の表示順序を変更するように構成したが、現在位置、年齢および過去の情報利用頻度を総合的に勘案して優先順位を判定し、優先順位の高いものから順番に表示させるように構成することができる。
【産業上の利用可能性】
【００６１】
この発明は、車両に搭載されるナビゲーション装置に限らず、個人が携行可能な可搬型のナビゲーション装置にも適用可能である。
【図面の簡単な説明】
【００６２】
【図１】この発明の実施の形態１に係るナビゲーション装置の構成を示すブロック図である。
【図２】この発明の実施の形態１に係るナビゲーション装置で使用される条件定義テーブルの構成を示す図である。
【図３】この発明の実施の形態１に係るナビゲーション装置で使用される情報格納テーブルの構成を示す図である。
【図４】図３に示した情報格納テーブルの詳細な構成を示す図である。
【図５】この発明の実施の形態１に係るナビゲーション装置の動作を説明するためのフローチャートである。
【図６】この発明の実施の形態１に係るナビゲーション装置におけるメニュー項目の表示例を示す図である。
【図７】この発明の実施の形態１に係るナビゲーション装置におけるメニュー項目の他の表示例を示す図である。
【図８】この発明の実施の形態２に係るナビゲーション装置の動作を説明するためのフローチャートである。
【図９】この発明の実施の形態２に係るナビゲーション装置におけるメニュー項目の表示例を示す図である。
【図１０】この発明の実施の形態２に係るナビゲーション装置におけるメニュー項目の他の表示例を示す図である。
【図１１】この発明の実施の形態３に係るナビゲーション装置の動作を説明するためのフローチャートである。
【符号の説明】
【００６３】
１０  操作部、１１  条件定義テーブル、１２  条件設定手段、１３  情報格納テーブル、１４  情報更新手段、１５  情報取得手段、１６  位置センサ、１７  位置検出手段、１８  イグニッションキーセンサ、１９  年齢検出手段、２０  利用頻度検出手段、２１  優先度判定手段、２２  表示手段。
【図１】
2005227091.tif 000003
【図２】
2005227091.tif 000004
【図３】
2005227091.tif 000005
【図４】
2005227091.tif 000006
【図５】
2005227091.tif 000007
【図６】
2005227091.tif 000008
【図７】
2005227091.tif 000009
【図８】
2005227091.tif 000010
【図９】
2005227091.tif 000011
【図１０】
2005227091.tif 000012
【図１１】
2005227091.tif 000013